(57)【要約】【課題】ガラス管内に発光モジュールを容易に配置できるとともに、ガラス管が割れた場合でも発光モジュールが露出するのを防止できる直管形ランプを提供する。【解決手段】直管形ランプ11は、ガラス管20、樹脂管21、発光モジュール22および口金を備える。樹脂管21は、ガラス管20内に挿通され、透光領域32aを有する。発光モジュール22は、透光領域32aに対向して樹脂管21内に保持される。口金は、ガラス管20の両端に設ける。【選択図】図１
2016062843.tif 000002
【特許請求の範囲】
【請求項１】
ガラス管と；
前記ガラス管内に挿通され、透光領域を有する樹脂管と；
前記透光領域に対向して前記樹脂管内に保持された発光モジュールと；
前記ガラス管の両端に設けられた口金と；
を具備することを特徴とする直管形ランプ。
【請求項２】
前記樹脂管は、前記発光モジュールを保持する保持部材、およびこの保持部材に取り付けられた透光部材を有する
ことを特徴とする請求項１記載の直管形ランプ。
【請求項３】
前記発光モジュールは、フレキシブル配線基板、およびこのフレキシブル配線基板に実装された発光部を有する
ことを特徴とする請求項１または２記載の直管形ランプ。
【請求項４】
前記ガラス管は、周面の一部に長手方向に沿って開口する開口部を有し、
前記樹脂管は、前記ガラス管の前記開口部に挿通される挿通部を有する
ことを特徴とする請求項１ないし３いずれか一記載の直管形ランプ。
【請求項５】
器具本体と；
前記器具本体に配設されたソケットと；
前記ソケットに装着される請求項１ないし４いずれか一記載の直管形ランプと；
を具備することを特徴とする照明装置。
【発明の詳細な説明】
【技術分野】
【０００１】
本発明の実施形態は、発光モジュールを備える直管形ランプ、およびこの直管形ランプを用いた照明装置に関する。
【背景技術】
【０００２】
従来、ガラス管内に発光モジュールを収容し、ガラス管の両端に口金を設けた直管形ランプがある。この直管形ランプでは、ガラス管の内壁に拡散膜が塗布されており、この拡散膜上に、発光モジュールを保持したアルミニウム基台、あるいは発光モジュール自体を接着剤によって固定されている。
【０００３】
しかしながら、拡散膜上へのアルミニウム基台や発光モジュールの接着が困難であったり、拡散膜が剥がれる虞がある。また、直管形ランプの点灯時に、ガラス管が割れた場合、点灯が維持されている発光モジュールが露出し、発光モジュールに手が触れる虞がある。
【先行技術文献】
【特許文献】
【０００４】
【特許文献１】特開２０１２−９９４１４号公報
【発明の概要】
【発明が解決しようとする課題】
【０００５】
本発明が解決しようとする課題は、ガラス管内に発光モジュールを容易に配置できるとともに、ガラス管が割れた場合でも発光モジュールが露出するのを防止できる直管形ランプ、およびこの直管形ランプを用いた照明装置を提供することである。
【課題を解決するための手段】
【０００６】
実施形態の直管形ランプは、ガラス管、樹脂管、発光モジュールおよび口金を備える。樹脂管は、ガラス管内に挿通され、透光領域を有する。発光モジュールは、透光領域に対向して樹脂管内に保持される。口金は、ガラス管の両端に設ける。
【発明の効果】
【０００７】
本発明によれば、ガラス管内に発光モジュールを容易に配置できるとともに、ガラス管が割れた場合でも発光モジュールが露出するのを防止することが期待できる。
【図面の簡単な説明】
【０００８】
【図１】第１の実施形態を示す直管形ランプの断面図である。
【図２】同上直管形ランプの斜視図である。
【図３】同上直管形ランプの正面図である。
【図４】同上直管形ランプを用いた照明装置の斜視図である。
【図５】第２の実施形態を示す直管形ランプの断面図である。
【発明を実施するための形態】
【０００９】
以下、第１の実施形態を、図１ないし図４を参照して説明する。
【００１０】
図４に示すように、照明装置10は、長尺な直管形ランプ11を使用する。照明装置10は、器具本体12、この器具本体12の長手方向の両端に配置されるソケット13，14、および器具本体12内に配設される電源回路15等を備えている。
【００１１】
そして、図１ないし図３に、直管形ランプ11を示す。なお、図２には、直管形ランプ11の一部（ガラス管および透光部材）を透明な状態で図示している。
【００１２】
直管形ランプ11は、ガラス管20、このガラス管20内に挿通される樹脂管21および発光モジュール22、およびガラス管20の両端に配設される口金23，24を備えている。ガラス管20を用いることにより、不燃構造の直管形ランプ11に構成されている。
【００１３】
ガラス管20は、透明なガラス材料によって長尺に形成されている。ガラス管20は、円筒状に形成されている。ガラス管20の厚みは例えば１ｍｍ程度とされている。
【００１４】
また、樹脂管21は、ガラス管20内に挿通可能な円筒状に形成されている。樹脂管21は、発光モジュール22を保持する保持部材31、およびこの保持部材31に取り付けられる透光部材32を備えている。これら保持部材31および透光部材32によって円筒状に形成されている。
【００１５】
保持部材31は、透光部材32に比べて熱伝導性が優れている。保持部材31は、例えばポリカーボネートに熱伝導性を向上させるためのフィラーが混入されている。フィラーとしては、例えば、酸化チタン、炭素、炭酸カルシウム等が用いられる。
【００１６】
保持部材31の両側には、透光部材32が固定される固定部35が形成されている。固定には、例えば、接着、溶着、２色成形での一体成形等の固定方法を用いることができる。
【００１７】
保持部材31の内面には、発光モジュール22を配置する配置部36、およびこの配置部36の両側に発光モジュール22を配置部36との間に挟み込んで保持する一対の保持部37が突設されている。配置部36と保持部37との間には発光モジュール22を挿通する保持溝38が形成されている。
【００１８】
透光部材32は、円筒状で、周面の一部に長手方向に沿って開口部39が形成されている。開口部39の両側に、保持部材31に固定される縁部40が形成されている。
【００１９】
透光部材32は、樹脂管21の透光領域32aを構成する。透光部材32は、透光性を有する樹脂材料によって形成されている。樹脂材料としては、例えばポリカーボネート、アクリル等が用いられる。さらに、透光部材32は、光を拡散する拡散性を有している。拡散性は、樹脂材料に拡散材を混入することによって得られる。拡散材としては、例えば、ガラスビーズ、ガラスフィラーなどが用いられる。
【００２０】
透光部材32の厚みは、保持部材31に固定される両縁部40が最も厚く、両縁部40から中央に行くにしたがって徐々に薄くなるように形成されている。透光部材32の厚みは、例えば０．３〜１．０ｍｍ程度とされている。
【００２１】
また、発光モジュール22は、長尺な帯状のフレキシブル配線基板43、およびこのフレキシブル配線基板43の表面43aの幅方向中央に実装された複数の発光部44を備えている。
【００２２】
フレキシブル配線基板43は、フィルム状の絶縁材とパターン状の配線を積層して構成されている。絶縁材は、光を透過可能な透明または光拡散性を有する半透明で形成され、あるいは光を透過しない不透明に形成されている。不透明の場合には、フレキシブル配線基板43の表面43aに、光の反射率が高い高反射膜を形成してもよい。配線は、絶縁材の幅方向の中央領域に長手方向に沿って配置されている。そして、配線に複数の発光部44が電気的に接続され、配線により複数の発光部44が直列に電気接続されている。
【００２３】
フレキシブル配線基板43は、フレキシブル配線基板43の両側部を保持部材31の両側の保持溝38に挿入することで、フレキシブル配線基板43が配置部36に沿って湾曲し、フレキシブル配線基板43の裏面43bが配置部36に沿って接する状態で保持されるように構成されている。
【００２４】
発光部44は、発光素子である例えばＬＥＤや有機ＥＬ等が用いられる。ＬＥＤの場合には、例えば、表面実装形のＳＭＤ（Surface Mount Device）パッケージが用いられている。そして、複数の発光部44はフレキシブル配線基板43の表面43aの幅方向中央で長手方向に沿って所定の間隔をあけて実装されている。
【００２５】
また、口金23，24は、例えば、ＧＸ１６ｔ−５形口金である。口金23，24は、電気絶縁性を有する樹脂により、それぞれ有底の円筒状に形成されている。口金23，24内には、ガラス管20の長手方向の両端部が挿入されている。口金23，24内には、ガラス管20内の樹脂管21と係合し、樹脂管21を位置決め保持する係合部46が設けられている。係合部46は、図３では口金23，24に１個ずつ図示しているが、例えば少なくとも一方に一対の係合部46を設けてもよいし、両方に一対の係合部46を設けてもよい。なお、例えば口金23，24の少なくとも一方に一対の係合部46を設ける場合には、例えば保持部材31の保持部37に係合させることで口金23，24と樹脂管21との位置決めを行ってもよい。そして、口金23，24は、それぞれガラス管20の端部に接着あるいはかしめて固定されている。
【００２６】
口金23は、給電端子側口金であり、端子としての一対の給電端子47が配設されている。一対の給電端子47は、Ｌ字形に形成されているとともに、互いに反対向きとなるように口金23から突出されている。一対の給電端子47は、発光モジュール22のフレキシブル配線基板43の配線に電気的に接続されている。
【００２７】
口金24は、非給電端子側口金あるいはアース端子側口金であり、１本のＴ形のピン48が配設されている。なお、口金24は、一対の給電端子47と同様に一対のＬ字形のピンを備えていてもよい。
【００２８】
次に、本実施形態の作用について説明する。
【００２９】
直管形ランプ11を組み立てるには、フレキシブル配線基板43を樹脂管21の一端から保持部37の保持溝38に挿入し、フレキシブル配線基板43を樹脂管21内に長手方向に沿って挿入する。これにより、保持部37によって、フレキシブル配線基板43が配置部36に沿って湾曲し、フレキシブル配線基板43が配置部36に接する状態で保持される
続いて、樹脂管21をガラス管20内に挿入する。なお、最初に樹脂管21をガラス管20内に挿入し、続いてフレキシブル配線基板43を樹脂管21内に挿入してもよい。
【００３０】
続いて、ガラス管20の一端に口金23を被せて固定するとともに、ガラス管20の他端に口金24を被せて固定する。口金23を固定する際には、フレキシブル配線基板43と給電端子47とを電気的に接続するとともに、口金23，24の係合部46で樹脂管21を位置決め保持する。
【００３１】
そして、直管形ランプ11を照明装置10のソケット13，14間に装着し、電源回路15から電力を直管形ランプ11に供給することにより、発光モジュール22の発光部44が点灯する。発光部44が発する光は樹脂管21の透光部材32に入射し、透光部材32に入射した光は拡散されてガラス管20に入射し、ガラス管20を通過する光が外部の照明空間に放出される。
【００３２】
このように、本実施形態の直管形ランプ11では、樹脂管21で発光モジュール22を保持し、樹脂管21をガラス管20内に挿通することにより、発光モジュール22をガラス管20内に容易に配置することができる。
【００３３】
樹脂管21の透光部材32が拡散性を有するため、ガラス管20の内面に拡散膜を塗布形成する必要がなく、製造性を向上できる。しかも、拡散膜が剥がれるような問題がなく、直管形ランプ11の品質を継続的に維持できる。
【００３４】
また、仮に、直管形ランプ11の点灯中に、ガラス管20が割れた場合でも、発光モジュール22が樹脂管21で覆われているため、発光モジュール22が露出することがなく、発光モジュール22に手が直接触れるのを防止できる。
【００３５】
次に、図５に第２の実施形態を示す。なお、第１の実施形態と同じ構成については同じ符号を用い、その構成および作用効果についての説明を省略する。
【００３６】
ガラス管20は、円筒状で、周面の一部に長手方向に沿って開口部51が形成されている。開口部51の両側に、樹脂管21に固定される縁部52が形成されている。縁部52の内面には突出部52aが形成されている。
【００３７】
樹脂管21の保持部材31の外面には、ガラス管20の縁部52が嵌り込んで配置される溝部55が形成されているとともに、開口部51に挿通される挿通部56が形成されている。挿通部56の外面は、開口部51を通じて外部に露出し、ガラス管20の外面と略同一面となるように構成されている。溝部55には、挿通部56に隣接する位置に、溝部55の他の位置よりも溝深さが深くなる窪み部55aが形成されている。
【００３８】
そして、直管形ランプ11の組立時において、樹脂管21をガラス管20内に挿入する。樹脂管21をガラス管20内に挿入すると、ガラス管20の縁部52が樹脂管21の溝部55に嵌り込んで保持される。しかも、ガラス管20の縁部52から突出する突出部52aが樹脂管21の溝部55に形成されている窪み部55aに嵌り込んで引っ掛かるため、ガラス管20と樹脂管21とが強固に保持される。なお、ガラス管20の縁部52と樹脂管21の溝部55との間は接着固定してもよい。
【００３９】
本実施形態の直管形ランプ11においても、樹脂管21で発光モジュール22を保持し、樹脂管21をガラス管20内に挿通することにより、発光モジュール22をガラス管20内に容易に配置することができる。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
10    照明装置
11    直管形ランプ
12    器具本体
13，14    ソケット
20    ガラス管
21    樹脂管
22    発光モジュール
23，24    口金
31    保持部材
32    透光部材
32a   透光領域
43    フレキシブル配線基板
44    発光部
51    開口部
56    挿通部
【図１】
2016062843.tif 000003
【図２】
2016062843.tif 000004
【図３】
2016062843.tif 000005
【図４】
2016062843.tif 000006
【図５】
2016062843.tif 000007